(57)【要約】【課題】暗証番号などのパスワードを入力する画面やしぐさを盗撮されてもパスワードが解読・推測されないパスワード入力システムを提供する。【解決手段】本体装置と端末装置とを含み、前記本体装置は、第１のキャラクタ群のキャラクタを第２のキャラクタ群のキャラクタに対応付ける対応テーブルを発生する対応テーブル発生手段と、前記対応テーブルを前記端末装置に送信する送信手段と、前記第２のキャラクタ群のキャラクタのキャラクタテーブルを表示するキャラクタテーブル表示手段と、前記キャラクタテーブルに表示されたキャラクタを入力するキャラクタ入力手段と、入力された前記第２のキャラクタ群のキャラクタを前記対応テーブルに基づいて前記第１のキャラクタ群のキャラクタに変換する変換手段とを備え、前記端末装置は、前記本体装置から送信される対応テーブルを受信する受信手段と、前記対応テーブルを表示する対応テーブル表示手段とを備えることを特徴とする。【選択図】図１
2008234440.tif 000002
【特許請求の範囲】
【請求項１】
本体装置と端末装置とを含み、第１のキャラクタ群のキャラクタからなるパスワードを入力するパスワード入力システムであって、
前記本体装置は、
第１のキャラクタ群のキャラクタを第２のキャラクタ群のキャラクタに対応付ける対応テーブルを発生する対応テーブル発生手段と、
前記対応テーブルを前記端末装置に送信する送信手段と、
前記第２のキャラクタ群のキャラクタのキャラクタテーブルを表示するキャラクタテーブル表示手段と、
前記キャラクタテーブルに表示されたキャラクタを入力するキャラクタ入力手段と、
入力された前記第２のキャラクタ群のキャラクタを前記対応テーブルに基づいて前記第１のキャラクタ群のキャラクタに変換する変換手段とを備え、
前記端末装置は、
前記本体装置から送信される対応テーブルを受信する受信手段と、
前記対応テーブルを表示する対応テーブル表示手段とを備えることを特徴とするパスワード入力システム。
【請求項２】
前記対応テーブル発生手段は、前記キャラクタ入力手段において１つのキャラクタが入力されるたびに新たな対応テーブルを発生し、前記送信手段から前記端末装置の受信手段に送信することを特徴とする請求項１記載のパスワード入力システム。
【請求項３】
前記対応テーブルは、前記第２のキャラクタ群のキャラクタのみが表示され、前記第２のキャラクタ群のキャラクタは、対応する前記第１のキャラクタ群のキャラクタに対して定められた位置に表示されることを特徴とする請求項１又は２に記載のパスワード入力システム。
【請求項４】
前記端末装置は、他の表示手段も備え、前記他の表示手段は、前記第１のキャラクタ群のキャラクタがどの位置に定められているのかを示すキャラクタ位置表を表示することを特徴とする請求項３記載のパスワード入力システム。
【請求項５】
前記本体装置の前記送信部と、前記端末装置の前記受信部は、ＲＦＩＤ、二次元バーコード、赤外線、Ｂｌｕｅｔｏｏｔｈ、無線ＬＡＮ、又は、電子メールによって通信することを特徴とする請求項１乃至４のいずれか１項に記載のパスワード入力システム。
【請求項６】
前記本体装置の前記キャラクタテーブル表示手段及び前記キャラクタ入力手段はタッチパネルであることを特徴とする請求項１乃至５のいずれか１項に記載のパスワード入力システム。
【請求項７】
前記本体装置は現金自動支払機であり、前記端末装置は携帯端末であることを特徴とする請求項１乃至６のいずれか１項に記載のパスワード入力システム。
【請求項８】
前記端末装置は、操作キーと、前記操作キーの操作に基づいた制御信号を送信する制御信号送信手段を備え、前記本体装置は前記制御信号を受信する制御信号受信手段を備え、前記本体装置の前記キャラクタ入力手段は、前記キャラクタテーブルにおけるキャラクタの選択及び入力を前記制御信号にしたがって行うことを特徴とする請求項１乃至５のいずれか１項に記載のパスワード入力システム。
【請求項９】
前記本体装置はテレビジョン受像機であり、前記端末装置はリモコン装置であることを特徴とする請求項１乃至５及び８のいずれか１項に記載のパスワード入力システム。
【請求項１０】
第１のキャラクタ群のキャラクタからなるパスワードを入力するパスワード入力方法であって、
本体装置が、前記第１のキャラクタ群のキャラクタと第２のキャラクタ群のキャラクタとの対応テーブルを発生するステップと、
前記本体装置が端末装置に前記対応テーブルを送信するステップと、
前記本体装置が、前記第２のキャラクタ群のキャラクタのキャラクタテーブルを表示するステップと、
前記端末が前記対応テーブルを表示するステップと、
前記本体装置において、前記キャラクタテーブルに含まれるキャラクタの入力を受けるステップと、
前記本体装置において、入力された前記第２のキャラクタ群のキャラクタを、前記対応テーブルに基づいて前記第１のキャラクタ群のキャラクタに変換するステップとを含むことを特徴とするパスワード入力方法。
【発明の詳細な説明】
【技術分野】
【０００１】
本発明は、パスワードを入力するシステム及び方法に関する。
【背景技術】
【０００２】
近年、ＡＴＭ（Automatic Teller Machine：現金自動支払機）等で現金引き出し等の操作時に暗証番号を入力する画面やしぐさを盗み見られたり盗撮されるなどして悪用される事件が多発している。
【０００３】
また、テレビジョン受像機などでは、インターネットやデジタル放送での取引のためにパスワードを入力したり、アダルトコンテンツへのアクセスを制限するためにパスワードの入力を求めたりといったことも多くなってきており、パスワードの安全性を確保することが急務となっている。
【０００４】
特許文献１には、ＡＴＭ認証の後、携帯端末にワンタイムパスワードを発行し、暗証番号による認証に加え、そのパスワードでさらに認証する、本人認証システム及び本人認証方法が記載されている。
【０００５】
特許文献２には、５×１０個位の入力エリアにキーバッドを表示してどこを押しているのか手の動きからわかりにくくする、暗証番号入力装置が記載されている。
【０００６】
特許文献３には、暗証番号を入力するセルの場所や順番まで使用する、暗証番号入力方法が記載されている。
【０００７】
特許文献４には、入力キーパッドの配列を変化させる、番号や記号等の配列が変化する暗証入力方式が記載されている。
【０００８】
特許文献５には、キーパッドの配列をランダムに表示するのと、物理キーを表示画面を別にして入力する、パスワード入力装置及びパスワード入力変更方法が記載されている。
【０００９】
【特許文献１】特開２００４−２７２８２７号公報
【特許文献２】特開平５−３３４３３４号公報
【特許文献３】特開２０００−３３９０８４号公報
【特許文献４】特開平９−２７４５３１号公報
【特許文献５】特開２０００−２１４９４３号公報
【発明の開示】
【発明が解決しようとする課題】
【００１０】
特許文献１に記載の技術のようにワンタイムパスワードが即座に発行されるものは、携帯端末での通信を必要とするため、電波の入らない場所では使用できないという問題があった。また、暗証番号に加えワンタイムパスワードも入力しなければならないため、入力する文字が多くなり、手間がかかるといった問題があった。
【００１１】
特許文献２〜５に記載の数字キーの配列パターンを変更するものは、入力画面や物理キーそのものが盗撮されていると暗証番号が解読され、効果がなかった。
【００１２】
上述したことを鑑み、本発明は、暗証番号などのパスワードを入力する画面やしぐさを盗撮されてもパスワードが解読・推測されないパスワード入力システム及び方法を提供することを目的とする。
【課題を解決するための手段】
【００１３】
本発明のパスワード入力システムは、本体装置と端末装置とを含み、第１のキャラクタ群のキャラクタからなるパスワードを入力するパスワード入力システムであって、前記本体装置は、第１のキャラクタ群のキャラクタを第２のキャラクタ群のキャラクタに対応付ける対応テーブルを発生する対応テーブル発生手段と、前記対応テーブルを前記端末装置に送信する送信手段と、前記第２のキャラクタ群のキャラクタのキャラクタテーブルを表示するキャラクタテーブル表示手段と、前記キャラクタテーブルに表示されたキャラクタを入力するキャラクタ入力手段と、入力された前記第２のキャラクタ群のキャラクタを前記対応テーブルに基づいて前記第１のキャラクタ群のキャラクタに変換する変換手段とを備え、前記端末装置は、前記本体装置から送信される対応テーブルを受信する受信手段と、前記対応テーブルを表示する対応テーブル表示手段とを備えることを特徴とする。入力画面には第２のキャラクタのみが表示され、パスワードを構成する第１のキャラクタと第２のキャラクタの対応テーブルはユーザが手にする端末装置において表示されるので、入力画面を盗撮されるなどしても、パスワードは解読されない。
【００１４】
前記対応テーブル発生手段は、前記対応テーブル発生手段は、前記キャラクタ入力手段において１つのキャラクタが入力されるたびに新たな対応テーブルを発生し、前記送信手段から前記端末装置の受信手段に送信してもよい。このようにすれば、端末装置の画面を盗撮されたとしても、次のキャラクタの入力時には対応テーブルが変更されているためパスワードを構成するキャラクタのすべてを第３者に推測されることはなくなるので、セキュリティ度をより向上させることができる。
【００１５】
前記対応テーブルは、前記第２のキャラクタ群のキャラクタのみが表示され、前記第２のキャラクタ群のキャラクタは、対応する前記第１のキャラクタ群のキャラクタに対して定められた位置に表示されるようにしてもよい。このようにすれば、端末装置の画面を盗撮されたとしても、第１のキャラクタ群のキャラクタと第２のキャラクタ群のキャラクタとの対応を第３者が推測することはできないため、セキュリティ度をより向上させることができる。
【００１６】
この際、前記端末装置は、他の表示手段も備え、前記他の表示手段は、前記第１のキャラクタ群のキャラクタがどの位置に定められているのかを示すキャラクタ位置表を表示するようにしてもよい。このようにすれば、ユーザが第１のキャラクタ群のキャラクタに対応する位置を忘れても、キャラクタ位置表を見ることによって確認することができる。
【００１７】
前記本体装置の前記送信部と、前記端末装置の前記受信部は、ＲＦＩＤ、二次元バーコード、赤外線、Ｂｌｕｅｔｏｏｔｈ、無線ＬＡＮ、又は、電子メールによって通信するようにしてもよい。
【００１８】
前記キャラクタテーブル表示手段及び前記キャラクタ入力手段はタッチパネルであってもよい。
前記本体装置は現金自動支払機であり、前記端末装置は携帯端末であってもよい。
【００１９】
前記端末装置は、操作キーと、前記操作キーの操作に基づいた制御信号を送信する制御信号送信手段を備え、前記本体装置は前記制御信号を受信する制御信号受信手段を備え、前記本体装置の前記キャラクタ入力手段は、前記キャラクタテーブルにおけるキャラクタの選択及び入力を前記制御信号にしたがって行うようにしてもよい。
【００２０】
前記本体装置はテレビジョン受像機であり、前記端末装置はリモコン装置であってもよい。
【発明の効果】
【００２１】
本発明によれば、パスワードを入力する画面やしぐさを盗撮されてもパスワードが解読・推測されないパスワード入力システム及び方法が提供される。
【発明を実施するための最良の形態】
【００２２】
図１は、本発明によるパスワード入力システムの第１の実施形態の概略構成図である。本実施形態は、ＡＴＭで種々の取引のためにパスワード（暗証番号）を入力する場合を想定している。本システムは、ＡＴＭ本体１と、携帯端末４とを含む。ＡＴＭ本体１は、ネットワーク２を介してサーバ３に接続される。ＡＴＭ本体１は、入力表示部１１と対応テーブル送信部１２を備える。入力表示部１１はタッチパネルになっている。携帯端末４は、ＡＴＭ本体１の対応テーブル送信部１２と無線通信可能であり、通信方式はＮＦＣ（Near Field Communication）等のＲＦＩＤ（Radio Frequency Identification）が好適であるが、他の通信方式、例えば、２次元バーコード、赤外線、Bluetooth、無線ＬＡＮ、電子メール等を使用してもかまわない。２次元バーコードの場合、ＡＴＭ本体１の対応テーブル送信部１２は、所定の情報を表示するサイトのＵＲＬを表す２次元バーコードを表示し、携帯端末４は内蔵カメラ（図示せず）でこの２次元バーコードを撮影し、解読したＵＲＬにアクセスして情報を得るようにしてもよい。また、この場合２次元バーコードは入力表示部１１内に表示され、対応テーブル送信部を含むようなつくりであってもよい。携帯端末４は、種々の情報を表示する液晶画面と、数字を入力するテンキー等を備えている。本実施の形態では、携帯端末４が端末装置に対応し、受信手段を備え、液晶画面が対応テーブル表示手段に対応する。
【００２３】
図２は、ＡＴＭ本体１の構成の一例を示すブロック図である。ＡＴＭ本体１は、入力表示部１１及び対応テーブル送信部１２に加えて、通帳取扱部１３と、硬貨取扱部１４と、硬貨収納部１５と、装置全体の制御を行う制御部１６と、記憶部１７と、キャッシュカード取扱部１８と、紙幣取扱部１９と、紙幣収納部２０と、通信部２１とを備える。本実施形態では、ＡＴＭ本体１が本体装置に対応し、制御部１６が対応テーブル発生手段を含み、対応テーブル送信部１２が送信手段に対応し、入力表示部１１がキャラクターテーブル表示手段及びキャラクタ入力手段を兼ねている。通帳取扱部１３と、硬貨取扱部１４と、硬貨収納部１５、キャッシュカード取扱部１８と、紙幣取扱部１９と、紙幣収納部２０は、従来のＡＴＭに備わるものと同様であり、本発明を説明する上で重要ではないため、特に詳細は説明しない。
【００２４】
図１及び２を参照し、本実施形態のパスワード入力システムにおける動作について説明する。パスワードは４桁の数列とする。
【００２５】
ユーザは、ＡＴＭ本体１における種々の取引のために、例えばキャッシュカードをキャッシュカード取扱部１８に挿入し、入力表示部１１で所望の取引を選択する。パスワードを入力する際、まず携帯電話機等の携帯端末４を対応テーブル送信部１２に翳す。対応テーブル送信部１２は、携帯端末４に図１に示すような対応テーブルを送信する。この対応テーブルは、「０」〜「９」の数字に平仮名の「あ」〜「ん」からランダムに選択された１つの文字をそれぞれ対応付けるものである。図示した例では、「０：へ」、「１：そ」、「２：れ」、「３：い」、「４：お」、「５：む」、「６：ま」、「７：う」、「８：ろ」、「９：つ」のように割り当てられている。携帯端末４は、受信したこのような対応テーブルを液晶画面に表示する。対応テーブルは、取引のたびに新たなものが生成される。また、平仮名を１文字入力するたびに新たな対応テーブルを生成してもよい。
【００２６】
この際、ＡＴＭ本体１の入力表示部１１は、図１に示すような入力可能な平仮名テーブルを表示する。入力表示部１１はタッチパネルとなっており、ユーザが指で触れることにより平仮名テーブルの各平仮名を入力することができる。ユーザは、自分のパスワードを携帯端末４に表示された対応テーブルに基づいて平仮名列に置き換え、ＡＴＭ本体１の入力表示部１１の平仮名テーブルにおいて入力する。例えば、図示した例において、ユーザのパスワードは「５７６２」であるとする。これを図１の対応テーブルに基づいて平仮名列に置き換えると、「むうまれ」となる。平仮名テーブルによって入力される平仮名は、記憶部１７に記憶される。この際、入力される平仮名を入力表示部１１において順次表示してもよい。図１に示す入力表示部１１の画面では、最初の３文字の「むうま」までが入力された状態を示す。この表示はなくてもよい。又は入力済みの平仮名が伏字「＊」で表示されても良い。パスワードに対応する４文字の平仮名が入力されたら（この際、ユーザが確定ボタン等を押すことによってパスワードの入力が完了したことを明確に示すようにしてもよい）、制御部１６は、記憶部１７に記憶された平仮名列を元のパスワードに変換し、変換されたパスワードを通信部２１によってサーバ３に送信し、パスワードの認証を行う。
【００２７】
図３は、このようなパスワード入力システムの動作を説明するフローチャートである。ステップｓ１０１で、制御部１６は対応テーブルを作成する。ステップｓ１０２で、入力表示部１１において、例えば「携帯電話をかざしてください」と表示し、ユーザに携帯端末４を対応テーブル送信部１２に翳すように促す。ユーザが携帯端末４を対応テーブル送信部１２に翳すと、ステップｓ１０３で、対応テーブル送信部１２から対応テーブルが携帯端末４に送信される。携帯端末４は、受信した対応テーブルを液晶画面に表示する。ステップｓ１０４で、入力表示部１１において、平仮名テーブルを表示する。ステップｓ１０５で、入力される平仮名のカウント用の変数ｎを０にリセットする。ステップｓ１０６で、入力表示部１１の平仮名テーブルにおいて画面がタッチされ、平仮名が入力されたかどうかを判定する。平仮名が入力されたら、ステップｓ１０７で、入力された平仮名を入力表示部１１において表示する。又は平仮名を表示せずに伏字「＊」を表示するような作りでも良い。ステップｓ１０８で、制御部１６は、入力された平仮名を対応テーブルに基づいて数字に変換し、記憶部１７に記憶する。ステップｓ１０９で、ｎを１増分する。ステップｓ１１０で、ｎが３かどうかを判定する。ｎが３であれば４文字のパスワードが入力されたことになるのでステップｓ１１１に進み、そうでなければステップｓ１０６に戻る。ステップｓ１１１で、制御部１６は、記憶部１７に記憶された４桁のパスワードを通信部２１によってサーバ３に送信し、パスワードの認証を行う。通信部２１は、サーバ３からの認証結果を受信する。ステップｓ１１２で、パスワードが正しければステップｓ１１３に進んで取引を開始する。パスワードが正しくなければ、ステップｓ１１４で、入力表示部１１において、例えば「パスワードが違います。再度入力してください」と表示し、ステップｓ１０４に戻ってユーザにパスワードを再度入力させる。
【００２８】
ステップｓ１１２においてパスワードが正しくない場合、ステップｓ１０５に戻ってもよい。また、ステップｓ１０１に戻り、新たに対応テーブルを作成してからパスワードの入力をやり直してもよい。
【００２９】
ステップｓ１０８では、入力された平仮名一文字ごとに数字に変換しているが、４文字の平仮名が入力された後（ステップｓ１１１の前に）、一度に数字に変換するようにしてもよい。また、平仮名を一文字入力するたびに対応テーブルを新たに発生し、携帯端末に送信するようにしてもよい。この場合は、平仮名が一文字入力される度に、入力された平仮名に対応する数字に変換し、「携帯端末をかざしてください」と入力表示部１１に表示するほうがよい。
【００３０】
図４は、対応テーブルの他の例を示す図である。携帯端末の表示部には、図４ａに示すような平仮名の配列だけが表示される。ユーザは図４ｂに示すような数字の配列を記憶しておき、図４ａにおける各平仮名がどの数字に対応するかを知る。さらに、端末装置の他の表示部（携帯端末のサブ画面等）に図４ｂに示すような数字の配列を表示させるようにしてもよい。このような配列は、ユーザが任意に携帯端末に事前に設定、もしくはＡＴＭシステムに事前に設定できるようにしてもよい。また、図４ａのみが表示されている時に携帯端末４に備わっているあるボタンを押下している間だけ、図４ｂが表示されるような仕組みであっても良い。
【００３１】
図５は、本発明によるパスワード入力システムの第２の実施形態の概略構成図である。本実施形態は、テレビジョン受像機であり、インターネット等のネットワークに接続可能な場合はネットワーク上の種々の取引や、テレビジョン受像機本体におけるコンテンツの表示制限のためにパスワードを入力する場合を想定している。本システムは、テレビジョン受像機３０とリモコン装置４０から成る。テレビジョン受像機３０は、表示部３１と送受信部３２を備える。リモコン装置４０は、テレビジョン受像機３０の送受信部３２と双方向通信可能であり、液晶表示画面と、テンキーと、カーソルキーとを備える。本実施の形態では、リモコン装置４０が端末装置に対応し、受信手段を備え、液晶表示画面が対応テーブル表示手段に対応する。
【００３２】
図６は、テレビジョン受像機３０の構成の一例を示すブロック図である。テレビジョン受像機３０は、表示部３１及び送受信部３２に加えて、チューナ部３３と、装置全体の制御を行う制御部３４と、通信部３５と、記憶部３６と、スピーカ部３７とを備える。本実施形態では、テレビジョン受像機３０が本体装置に対応し、制御部３４が対応テーブル発生手段を含み、送受信部３２が送信手段に対応し、表示部１２がキャラクターテーブル表示手段及びキャラクタ入力手段を兼ねている。チューナ部３３と、スピーカ部従来のテレビジョン受像機に備わるものと同様であり、本発明を説明する上で重要ではないため、特に詳細は説明しない。通信部は、インターネット等に接続するためのものであり、インターネット等に接続しない場合はなくてもよい。
【００３３】
図５及び６を参照し、本実施形態のパスワード入力システムにおける動作について説明する。パスワードは４桁の数列とする。本実施例では、テレビジョン受像機３０内でパスワードの認証を行う場合を想定する。
【００３４】
ユーザがテレビジョン受像機３０においてパスワードを入力する際、テレビジョン受像機３０は、リモコン装置４０に図５に示すような対応テーブルを送信する。この対応テーブルは、「０」〜「９」の数字に平仮名の「あ」〜「ん」からランダムに選択された１つの文字をそれぞれ対応付けるものである。図示した例では、「０：へ」、「１：そ」、「２：れ」、「３：い」、「４：お」、「５：む」、「６：ま」、「７：う」、「８：ろ」、「９：つ」のように割り当てられている。リモコン装置４０は、受信したこのような対応テーブルを液晶画面に表示する。対応テーブルは、取引のたびに新たなものが生成される。また、パスワードを１文字入力するたびに新たな対応テーブルを生成してもよい。
【００３５】
この際、テレビジョン受像機３０の表示部３１は、図５に示すような平仮名テーブルを表示する。リモコン装置４０のカーソルキーの操作によって、平仮名テーブルにおける平仮名を選択し、入力することができる。ユーザは、自分のパスワードをリモコン装置４０に表示された対応テーブルに基づいて平仮名列に置き換え、リモコン装置４０のカーソルキーを操作し、テレビジョン受像機３０の表示部３１に表示された平仮名テーブルにおいて所望の平仮名を選択し、入力する。例えば、図示した例において、ユーザのパスワードは「５７６２」であるとする。これを図５の対応テーブルに基づいて平仮名列に置き換えると、「むうまれ」となる。平仮名テーブルによって入力される平仮名は、記憶部３６に記憶される。この際、入力される平仮名を表示部３１において順次表示してもよく、図５に示す表示部３１の画面では、最初の３文字の「むうま」までが入力された状態を示す。又は入力済みの平仮名が伏字「＊」で表示されても良い。パスワードに対応する４文字の平仮名が入力されたら（この際、ユーザが確定ボタン等を押すことによってパスワードの入力が完了したことを明確に示すようにしてもよい）、制御部３４は、記憶部３６に記憶された平仮名列を元の４桁の数字のパスワードに変換し、変換されたパスワードを記憶部に記録されているユーザが予め設定したパスワードと比較を行い、認証を行う。
【００３６】
図７は、このような第２の実施形態のパスワード入力システムの動作を説明するフローチャートである。パスワード入力処理が開始されると、ステップｓ２０１で、制御部３４は対応テーブルを作成する。ステップｓ２０２で、送受信部３２からリモコン装置４０に対応テーブルが送信される。リモコン装置４０は、受信した対応テーブルを液晶画面に表示する。ステップｓ２０３で、表示部３１において、平仮名テーブルを表示する。ステップｓ２０４で、入力される平仮名のカウント用の変数ｎを０にリセットする。ステップｓ２０５で、リモコン装置４０のカーソルキーの操作によって平仮名テーブルにおいて平仮名が選択され、入力されたかどうかを判定する。平仮名が入力されたら、ステップｓ２０６で、入力された平仮名を表示部３１において表示する。又は入力された平仮名が伏字「＊」で表示されても良い。ステップｓ２０７で、制御部３４は、入力された平仮名を前記対応テーブルに基づいて数字に変換し、記憶部３６に記憶する。ステップｓ２０８で、ｎを１増分する。ステップｓ２０９で、ｎが３かどうかを判定する。ｎが３であれば４桁のパスワードが入力されたことになるのでステップｓ２１０に進み、そうでなければステップｓ２０５に戻る。ステップｓ２１０で、制御部３４は、記憶部３６に記憶された４桁のパスワードの認証を行う。ステップｓ２１１で、パスワードが正しければパスワード入力処理を終了する。パスワードが正しくなければ、ステップｓ２１２で、表示部３１において、例えば「パスワードが違います。再度入力してください」と表示し、ステップｓ２０３に戻ってユーザにパスワードを再度入力させる。
【００３７】
ステップｓ２１１においてパスワードが正しくない場合、ステップｓ２１２の後にステップｓ２０４に戻ってもよい。また、ステップｓ２０１に戻り、新たに対応テーブルを作成してからパスワードの入力をやり直してもよい。
【００３８】
ステップｓ２０７では、入力された平仮名一文字ごとに数字に変換しているが、４文字の平仮名が入力された後（ステップｓ２１０の前に）、一度に数字に変換するようにしてもよい。また、平仮名を一文字入力するたびに対応テーブルを新たに発生し、携帯端末に送信するようにしてもよい。この場合は、平仮名が一文字入力される度に、入力された平仮名に対応する数字に変換するほうがよい。
【００３９】
上記で説明した第１及び第２の実施の形態では、パスワードは４桁の数字から成り、入力時に平仮名テーブルを使用したが、これらは一例である。パスワードは、数字以外でもよく、例えば、平仮名、片仮名、アルファベット、記号、又は、図形でもよく、これらの組み合わせであってもよい。また、桁数（文字数）も４桁（文字）に限定されない。平仮名テーブルの代わりに、他のキャラクタ、例えば、数字、片仮名、アルファベット、記号、又は、図形の群又はこれらの組み合わせからなるテーブルを用いることもできる。また、携帯端末４もしくはリモコン装置４０が、対応テーブルを受信する際の通信手段としては、無線ＬＡＮやＢｌｕｅｔｏｏｔｈ、赤外線などどのような手段でも良いことから、実施形態においては、携帯端末４を対応テーブル送信部１２に翳すという操作をしなくても対応テーブルを受信できるようになっていても良く、テレビジョン受信機３０から対応テーブルをリモコン装置４０が受け取る場合でも、赤外線通信の場合はリモコン装置４０の図示していない赤外線受光部をテレビジョン受像機の送受信部３２に向けて通信を行うようにしても良く、Ｂｌｕｅｔｏｏｔｈの場合には送受信部３２に向けなくても通信が可能である。つまり、使用される通信手段によってふさわしい形態で情報の送受信が行われればよい。
【００４０】
以上説明したように、本発明のパスワード入力システムでは、パスワードの入力画面の盗撮などをされても、パスワードの入力画面には、端末装置（携帯電話等の携帯端末やリモコン装置等）に表示される対応テーブルを見ることができないものには理解不能な、パスワードを構成するキャラクタとは異なるキャラクタの列しか表示されないため、第３者にパスワードを解読、推測されることがない。
【００４１】
上記で説明した実施の形態では、ＡＴＭとテレビジョン受像機を例として挙げたが、本発明は、パスワードの入力を行う他のいかなる用途、例えば、店舗のクレジット決済等の用途にも適用可能である。
【産業上の利用可能性】
【００４２】
本発明は、パスワード入力システム及び方法に利用可能である。
【図面の簡単な説明】
【００４３】
【図１】本発明によるパスワード入力システムの第１の実施形態の概略構成図である。
【図２】ＡＴＭ本体１の構成の一例を示すブロック図である。
【図３】第１の実施形態のパスワード入力システムの動作を説明するフローチャートである。
【図４】対応テーブルの他の例を示す図である。
【図５】本発明によるパスワード入力システムの第２の実施形態の概略構成図である。
【図６】テレビジョン受像機３０の構成の一例を示すブロック図である。
【図７】第２の実施形態のパスワード入力システムの動作を説明するフローチャートである。
【符号の説明】
【００４４】
１  ＡＴＭ本体
２  ネットワーク
３  サーバ
４  携帯端末
１１  入力表示部
１２  対応テーブル送信部
１３  通帳取扱部
１４  硬貨取扱部
１５  硬貨収納部
１６  制御部
１７  記憶部
１８  キャッシュカード取扱部
１９  紙幣取扱部
２０  紙幣収納部
２１  通信部
３０  テレビジョン受像機
３１  表示部
３２  送受信部
３３  チューナ部
３４  制御部
３５  通信部
３６  記憶部
３７  スピーカ部
【図１】
2008234440.tif 000003
【図２】
2008234440.tif 000004
【図３】
2008234440.tif 000005
【図４】
2008234440.tif 000006
【図５】
2008234440.tif 000007
【図６】
2008234440.tif 000008
【図７】
2008234440.tif 000009